(57)【要約】【課題】課題の一例として、携帯電話機等の携帯型情報記録再生装置を含むシステムにおいて、ユーザが複数のコンテンツをダウンロードする際に割引サービスを受ける場合に、情報提供者のサーバ装置においてユーザが入力した個人情報を管理する必要がないデジタルコンテンツ情報配信システム等を提供することにある。【解決手段】デジタルコンテンツ情報配信システムにおいて、関連情報を送信する関連情報送信手段と、前記関連情報の購入要求情報および利用者識別情報を送信する情報送受信手段と、管理情報送受信手段へ前記購入要求情報および前記利用者識別情報を送信するサイト送受信手段と、前記購入要求情報および前記利用者識別情報に基づいて、前記デジタルコンテンツ情報の配信履歴を検索する検索手段と、特典情報を演算する演算手段と、前記特典情報を前記サイト送受信手段へ送信する特典情報送信手段とを備えることを特徴とする。【選択図】図１
2009064171.tif 000002
【特許請求の範囲】
【請求項１】
デジタルコンテンツ情報を配信する、デジタルコンテンツ情報配信システムにおいて、
複数の前記デジタルコンテンツ情報が関連付けられた関連情報を送信する関連情報送信手段と、
前記関連情報の受信、並びに前記関連情報の購入要求情報および利用者識別情報を送信する情報送受信手段と、
前記購入要求情報および前記利用者識別情報を受信し、管理情報送受信手段へ前記購入要求情報および前記利用者識別情報を送信するサイト送受信手段と、
前記管理情報送受信手段を介して受信した前記購入要求情報および前記利用者識別情報に基づいて、前記デジタルコンテンツ情報の配信履歴を検索する検索手段と、
前記検索手段による検索結果に基づいて、前記利用者識別情報に対応する特典情報を演算する演算手段と、
前記演算手段による演算に基づいて、前記特典情報を前記サイト送受信手段へ送信する特典情報送信手段と、
を備え、
前記サイト送受信手段は、前記特典情報送信手段から前記特典情報を受信した場合には、前記特典情報から前記関連情報に関する購入情報を演算し、前記購入情報を前記関連情報の前記購入要求情報を送信した前記情報送受信手段へ送信することを特徴とするデジタルコンテンツ情報配信システム。
【請求項２】
請求項１に記載のデジタルコンテンツ情報配信システムにおいて、
前記購入情報を受信した前記情報送受信手段から、前記関連情報の購入指示情報を受信した前記サイト送受信手段は、前記関連情報に対応するデジタルコンテンツ識別情報を含む関連情報識別情報および前記利用者識別情報を前記管理情報送受信手段へ送信し、前記管理情報送受信手段は、前記関連情報識別情報および前記利用者識別情報を関連づけて記憶することを特徴とするデジタルコンテンツ情報配信システム。
【請求項３】
請求項２に記載のデジタルコンテンツ情報配信システムにおいて、
前記情報送受信手段から前記デジタルコンテンツ情報の送信要求を受信した前記サイト送受信手段は、前記デジタルコンテンツ情報に対応する前記デジタルコンテンツ識別情報、および当該デジタルコンテンツ情報の送信要求をした前記情報送受信手段に対応する前記利用者識別情報とを関連づけて前記管理情報送受信手段へ送信することを特徴とするデジタルコンテンツ情報配信システム。
【請求項４】
請求項３に記載のデジタルコンテンツ情報配信システムにおいて、
前記管理情報送受信手段は、前記サイト送受信手段から関連付けられて受信した前記デジタルコンテンツ識別情報および前記利用者識別情報と、前記管理情報送受信手段に関連付けられて記憶されている前記関連情報識別情報および前記利用者識別情報とを比較し、前記２つの利用者識別情報が一致する場合には、前記関連情報識別情報に前記デジタルコンテンツ識別情報が含まれているか否かを判断し、前記判断情報を前記サイト送受信手段へ送信することを特徴とするデジタルコンテンツ情報配信システム。
【請求項５】
請求項４に記載のデジタルコンテンツ情報配信システムにおいて、
前記判断情報を受信したサイト送受信手段は、前記判断情報が前記関連情報識別情報に前記デジタルコンテンツ識別情報が含まれている旨を示す情報である場合には、前記情報送受信手段に対して、前記デジタルコンテンツ情報に対する課金をせずに前記デジタルコンテンツ情報を送信することを特徴とするデジタルコンテンツ情報配信システム。
【請求項６】
請求項４に記載のデジタルコンテンツ情報配信システムにおいて、
前記判断情報を受信したサイト送受信手段は、前記判断情報が前記関連情報識別情報に前記デジタルコンテンツ識別情報が含まれている旨を示す情報である場合には、前記情報送受信手段に対して、前記デジタルコンテンツ情報に対する課金をして前記デジタルコンテンツ情報を送信することを特徴とするデジタルコンテンツ情報配信システム。
【請求項７】
請求項１乃至６の何れか一項に記載のデジタルコンテンツ情報配信システムにおいて、
前記特典情報は、前記関連情報に含まれるデジタルコンテンツ情報の少なくとも１つ以上がすでに前記情報送受信手段に送信されている場合には、前記関連情報に関する前記購入情報である購入金額に対して割引されることを特徴とするデジタルコンテンツ情報配信システム。
【請求項８】
請求項１乃至７の何れか一項に記載のデジタルコンテンツ情報配信システムにおいて、
前記サイト送受信手段は少なくとも２つ以上備えられ、前記情報送受信手段から情報を前記サイト送受信手段へ送信するためには、前記情報送受信手段から送信される前記利用者識別情報と前記利用者識別情報に関連付けられた送受信許可情報とが、前記サイト識別手段に関連付けられて記憶された前記利用者識別情報と前記送受信許可情報とに一致することが必要であるデジタルコンテンツ情報配信システム。
【請求項９】
請求項１乃至７の何れか一項に記載のデジタルコンテンツ情報配信システムにおいて、
一つの前記関連情報識別情報に含まれる２つ以上の前記デジタルコンテンツ識別情報に対応するデジタルコンテンツ情報は、少なくとも２つ以上の前記サイト送受信手段から送信されるべきデジタルコンテンツ情報を含むことを特徴とするデジタルコンテンツ情報配信システム。
【請求項１０】
デジタルコンテンツ情報を配信する、デジタルコンテンツ情報配信システムの制御方法において、
複数の前記デジタルコンテンツ情報が関連付けられた関連情報を送信する関連情報送信工程と、
前記関連情報の受信、並びに前記関連情報の購入要求情報および利用者識別情報を送信する情報送受信工程と、
前記購入要求情報および前記利用者識別情報を受信し、管理情報送受信工に対して前記購入要求情報および前記利用者識別情報を送信するサイト送受信工程と、
前記管理情報送受信工程を介して受信した前記購入要求情報および前記利用者識別情報に基づいて、前記デジタルコンテンツ情報の配信履歴を検索する検索工程と、
前記検索工程による検索結果に基づいて、前記利用者識別情報に対応する特典情報を演算する演算工程と、
前記演算工程における演算に基づいて、前記特典情報を前記サイト送受信工程に対して送信する特典情報送信工程と、
を備え、
前記サイト送受信工程は、前記特典情報送信工程において前記特典情報を受信した場合には、前記特典情報から前記関連情報に関する購入情報を演算し、前記購入情報を前記関連情報の前記購入要求情報を送信した前記情報送受信工程に対して送信することを特徴とするデジタルコンテンツ情報配信システムの制御方法。
【請求項１１】
デジタルコンテンツ情報を配信する、デジタルコンテンツ情報配信システムのプログラムにおいて、
複数の前記デジタルコンテンツ情報が関連付けられた関連情報を送信する関連情報送信手段、
前記関連情報の受信、並びに前記関連情報の購入要求情報および利用者識別情報を送信する情報送受信手段、
前記購入要求情報および前記利用者識別情報を受信し、管理情報送受信手段へ前記購入要求情報および前記利用者識別情報を送信するサイト送受信手段、
前記管理情報送受信手段を介して受信した前記購入要求情報および前記利用者識別情報に基づいて、前記デジタルコンテンツ情報の配信履歴を検索する検索手段、
前記検索手段による検索結果に基づいて、前記利用者識別情報に対応する特典情報を演算する演算手段、
前記演算手段による演算に基づいて、前記特典情報を前記サイト送受信手段へ送信する特典情報送信手段として機能させ、
前記サイト送受信手段は、前記特典情報送信手段から前記特典情報を受信した場合には、前記特典情報から前記関連情報に関する購入情報を演算し、前記購入情報を前記関連情報の前記購入要求情報を送信した前記情報送受信手段へ送信するように機能させることを特徴とするデジタルコンテンツ情報配信システムの制御プログラム。
【請求項１２】
請求項１１に記載のデジタルコンテンツ情報配信システムの制御プログラムがコンピュータに読み取り可能に記録されていることを特徴とする記録媒体。
【発明の詳細な説明】
【技術分野】
【０００１】
本発明は、通信端末装置に対してデジタルコンテンツ情報を配信するデジタルコンテンツ情報配信システムの技術分野に関する。
【背景技術】
【０００２】
近年、情報処理や情報通信などの技術の飛躍的な進歩とも相俟って、コンピュータ等の電子情報機器間を相互接続するネットワーク・コンピューティング技術に対する要望が高まってきている。ネットワーク上では、遠隔地のユーザどうしで、コンピュータ資源を共有し、情報の共有・流通・配布・交換などの協働的作業を円滑に行うことができる。
【０００３】
このような状況下において、情報の提供者が、独自のＷｅｂページを作成し、ユーザにパソコンや携帯端末装置からそのＷｅｂページに対してアクセスをさせてユーザにとって魅力ある種々の情報を提供している。
【０００４】
この場合、情報の提供者は、例えば長時間コンテンツ情報をユーザに提供する場合には、長時間コンテンツ情報を一回のダウンロード時間が適切な時間内に収まるように、長時間コンテンツ情報を複数の部分に分割し、販売することを行ってきた。
【０００５】
一方、複数の部分に分割された長時間コンテンツ情報を、ユーザが一度づつ携帯情報端末を操作してダウンロードする煩雑な手間を省くために、ユーザがひとつのＷｅｂページから、アルバム楽曲（長時間コンテンツ情報の一例）に含まれる複数の楽曲を一度にウンロードすることを可能にしているシステムが知られている。例えば、以下の特許文献１に記載されたものがある。
【特許文献１】特開２００６−１９１３０６号公報
【発明の開示】
【発明が解決しようとする課題】
【０００６】
しかし、別々の選曲番号で構成された複数の楽曲を一括でダウンロードした場合には、ダウンロードした単位（複数の楽曲のダウンロード）が一単位（一パック）として判断されていた。従って、ユーザが複数の楽曲を別々にダウンロードした場合であっても、更に割引サービス等の特典を受けることは難しかった。一方、コンテンツ提供者にとって、長時間コンテンツを部分毎にバラ売り等する場合には、部分毎のコンテンツを管理することや、ユーザが購入を希望しているコンテンツに関連する別のコンテンツであってユーザが更に購入を希望するコンテンツを含めて、ユーザにとってお徳感のある価格で提供することが望まれていた。特に、コンテンツを提供する複数のサイトからそれぞれコンテンツを購入するユーザにとって、それらのコンテンツをパック購入し、割引サービスを受けることができない状況が発生していた。
【０００７】
そこで、本発明は上記の問題点に鑑みて為されたもので、その課題の一例は、携帯電話機等の携帯型情報記録再生装置を含むシステムにおいて、ユーザが複数のコンテンツをダウンロードする際に割引サービスを受ける場合に、ユーザに毎回同一情報を入力させる必要がなく、情報提供者のサーバ装置においてもユーザが入力した個人情報を管理する必要がないデジタルコンテンツ情報配信システム、デジタルコンテンツ情報配信システムの制御方法、及びデジタルコンテンツ情報配信システムの制御プログラムを提供することにある。
【課題を解決するための手段】
【０００８】
上記課題を解決するために、請求項１に記載の発明は、デジタルコンテンツ情報を配信する、デジタルコンテンツ情報配信システムにおいて、複数の前記デジタルコンテンツ情報が関連付けられた関連情報を送信する関連情報送信手段と、前記関連情報の受信、並びに前記関連情報の購入要求情報および利用者識別情報を送信する情報送受信手段と、前記購入要求情報および前記利用者識別情報を受信し、管理情報送受信手段へ前記購入要求情報および前記利用者識別情報を送信するサイト送受信手段と、前記管理情報送受信手段を介して受信した前記購入要求情報および前記利用者識別情報に基づいて、前記デジタルコンテンツ情報の配信履歴を検索する検索手段と、前記検索手段による検索結果に基づいて、前記利用者識別情報に対応する特典情報を演算する演算手段と、前記演算手段による演算に基づいて、前記特典情報を前記サイト送受信手段へ送信する特典情報送信手段とを備え、前記サイト送受信手段は、前記特典情報送信手段から前記特典情報を受信した場合には、前記特典情報から前記関連情報に関する購入情報を演算し、前記購入情報を前記関連情報の前記購入要求情報を送信した前記情報送受信手段へ送信することを特徴とする。
【０００９】
この構成によれば、長時間デジタルコンテンツを部分売りする等（アルバムの構成曲を一曲づつ売る場合、ドラマに関連した楽曲（主題歌等）をパック売りする場合、アルバム・ドラマに関連した静止画・動画等（俳優、歌手等）と楽曲のパック売り等）の場合に、パック売り用の（パック購入権利）選曲番号を別途設定すると、その番号でパックに含まれるデジタルコンテンツの全てを一定期間いつでも別々に購入することが可能になる。
【００１０】
また、先行配信などによってパック商品としてデジタルコンテンツが揃う前に購入したい場合には、先行配信によってダウンロードした履歴を記憶しておき、その後パックで購入できる権利を購入する場合には、パックの全デジタルコンテンツを新たに購入した場合と比較して、パックの購入金額が割引（ディスカウント：特典情報）されるという効果がユーザにある。
【００１１】
さらに、パック商品としてデジタルコンテンツを一括購入した方が個別にデジタルコンテンツを購入するよりも割引価格で購入できるようにしてあれば、先行配信をダウンロードした場合には更に割引率が上がる（特典情報）ので、先行配信でユーザが一番欲しているデジタルコンテンツをダウンロードしても、その他周辺のデジタルコンテンツをダウンロードする動機付けにもなり、関連する全てのデジタルコンテンツの購入がしやすくなるという効果がある。
【００１２】
上記課題を解決するために、請求項２に記載の発明は、請求項１に記載のデジタルコンテンツ情報配信システムにおいて、前記購入情報を受信した前記情報送受信手段から、前記関連情報の購入指示情報を受信した前記サイト送受信手段は、前記関連情報に対応するデジタルコンテンツ識別情報を含む関連情報識別情報および前記利用者識別情報を前記管理情報送受信手段へ送信し、前記管理情報送受信手段は、前記関連情報識別情報および前記利用者識別情報を関連づけて記憶することを特徴とする。
【００１３】
この構成によれば、ユーザがパック商品を購入する場合には、ユーザを示す識別情報とパック商品に含まれるデジタルコンテンツの識別情報とが関連付けられて（紐付けられて）記憶されるので、パック商品の一部が既に購入されているか否か、パック商品の購入が完了したか否かを容易に確認することが可能となる。
【００１４】
上記課題を解決するために、請求項３に記載の発明は、請求項２に記載のデジタルコンテンツ情報配信システムにおいて、前記情報送受信手段から前記デジタルコンテンツ情報の送信要求を受信した前記サイト送受信手段は、前記デジタルコンテンツ情報に対応する前記デジタルコンテンツ識別情報、および当該デジタルコンテンツ情報の送信要求をした前記情報送受信手段に対応する前記利用者識別情報とを関連づけて前記管理情報送受信手段へ送信することを特徴とする。
【００１５】
この構成によれば、ユーザがデジタルコンテンツのダウンロードを希望した場合には、まず、デジタルコンテンツのダウンロードを受け付けるサイト（ユーザが会員登録をしたサイト）にユーザがアクセスし、サイトはユーザの識別情報とデジタルコンテンツの識別情報とが関連付けられてパックＤＢ（データベース）管理サーバへ送信する。  
【００１６】
従って、ユーザはユーザが使用している携帯電話機に対してパック商品購入情報の有無を毎回入力する必要が無く、煩雑な作業を省くことが可能になる。
【００１７】
また、パック（データベース）管理サーバは、ユーザの識別情報（利用者識別情報）に基づいて、ユーザがダウンロードを希望しているデジタルコンテンツがパック商品に含まれるか否か容易に判断することが可能となる。
【００１８】
上記課題を解決するために、請求項４に記載の発明は、請求項３に記載のデジタルコンテンツ情報配信システムにおいて、前記管理情報送受信手段は、前記サイト送受信手段から関連付けられて受信した前記デジタルコンテンツ識別情報および前記利用者識別情報と、前記管理情報送受信手段に関連付けられて記憶されている前記関連情報識別情報および前記利用者識別情報とを比較し、前記２つの利用者識別情報が一致する場合には、前記関連情報識別情報に前記デジタルコンテンツ識別情報が含まれているか否かを判断し、前記判断情報を前記サイト送受信手段へ送信することを特徴とする。
【００１９】
この構成によれば、パックデータベース管理サーバはパック購入されたパック購入権利選曲番号（パックに含まれるデジタルコンテンツの識別情報と関連付けられている）とパック購入したユーザの識別情報（利用者識別情報）を予め登録しているので、デジタルコンテンツのダウンロードを試みているユーザの識別情報とダウンロードが試みられているデジタルコンテンツの識別情報に基づいて、パック購入されているデジタルコンテンツがダウンロードされようとしているか否かを容易に判断することが可能になる。
【００２０】
さらに、ユーザはユーザが使用している携帯電話機に対してパック商品購入情報の有無を毎回入力する必要が無く、煩雑な作業を省くことが可能になる。
【００２１】
上記課題を解決するために、請求項５に記載の発明は、請求項４に記載のデジタルコンテンツ情報配信システムにおいて、前記判断情報を受信したサイト送受信手段は、前記判断情報が前記関連情報識別情報に前記デジタルコンテンツ識別情報が含まれている旨を示す情報である場合には、前記情報送受信手段に対して、前記デジタルコンテンツ情報に対する課金をせずに前記デジタルコンテンツ情報を送信することを特徴とする。
【００２２】
この構成によれば、パックデータベース管理サーバは既にパック購入されたデジタルコンテンツのダウンロードを試みているユーザに対して、ダウンロードが試みられているデジタルコンテンツに関しては課金の必要がない旨の情報をサイトに対して送信するので、サイトは容易に、ユーザに対して課金せずに、ダウンロードが希望されているデジタルコンテンツを供給することができる。
【００２３】
上記課題を解決するために、請求項６に記載の発明は、請求項４に記載のデジタルコンテンツ情報配信システムにおいて、前記判断情報を受信したサイト送受信手段は、前記判断情報が前記関連情報識別情報に前記デジタルコンテンツ識別情報が含まれている旨を示す情報である場合には、前記情報送受信手段に対して、前記デジタルコンテンツ情報に対する課金をして前記デジタルコンテンツ情報を送信することを特徴とする。
【００２４】
この構成によれば、パックデータベース管理サーバはパック購入されていないデジタルコンテンツのダウンロードを試みているユーザに対して、ダウンロードが試みられているデジタルコンテンツに関しては課金の必要がある旨の情報をサイトに対して送信するので、サイトは容易に、ユーザに対して課金する必要があることを認識して、ダウンロードが希望されているデジタルコンテンツを供給することができる。
【００２５】
上記課題を解決するために、請求項７に記載の発明は、請求項１乃至６の何れか一項に記載のデジタルコンテンツ情報配信システムにおいて、前記特典情報は、前記関連情報に含まれるデジタルコンテンツ情報の少なくとも１つ以上がすでに前記情報送受信手段に送信されている場合には、前記関連情報に関する前記購入情報である購入金額に対して割引されることを特徴とするデジタルコンテンツ情報配信システム。
【００２６】
この構成によれば、ユーザがパック購入する前に、パック商品に含まれるデジタルコンテンツを先行配信等により既に購入している場合には、パック商品の購入価格を割引することにより、ユーザに先行配信されているデジタルコンテンツの購入意欲をかき立てることが可能となる。
【００２７】
上記課題を解決するために、請求項８に記載の発明は、請求項１乃至７の何れか一項に記載のデジタルコンテンツ情報配信システムにおいて、前記サイト送受信手段は少なくとも２つ以上備えられ、前記情報送受信手段から情報を前記サイト送受信手段へ送信するためには、前記情報送受信手段から送信される前記利用者識別情報と前記利用者識別情報に関連付けられた送受信許可情報とが、前記サイト識別手段に関連付けられて記憶された前記利用者識別情報と前記送受信許可情報とに一致することが必要であるデジタルコンテンツ情報配信システム。
【００２８】
この構成によれば、デジタルコンテンツを供給するユーザが登録しているサイトは一つに限られず、複数の登録サイト（ユーザが正式に登録会員として認められたサイト）からデジタルコンテンツの供給を受けることが可能になる。
【００２９】
上記課題を解決するために、請求項９に記載の発明は、請求項１乃至７の何れか一項に記載のデジタルコンテンツ情報配信システムにおいて、一つの前記関連情報識別情報に含まれる２つ以上の前記デジタルコンテンツ識別情報に対応するデジタルコンテンツ情報は、少なくとも２つ以上の前記サイト送受信手段から送信されるべきデジタルコンテンツ情報を含むことを特徴とする。
【００３０】
この構成によれば、複数のサイトへ登録しているユーザがパック商品を購入した場合に、パック商品に含まれるデジタルコンテンツを複数のサイトから購入することが可能となるので、ユーザにとって非常に利便性の高いデジタルコンテンツの配信システムを構築することが可能になる。
【００３１】
上記課題を解決するために、請求項１０に記載の発明は、デジタルコンテンツ情報を配信する、デジタルコンテンツ情報配信システムの制御方法において、複数の前記デジタルコンテンツ情報が関連付けられた関連情報を送信する関連情報送信工程と、前記関連情報の受信、並びに前記関連情報の購入要求情報および利用者識別情報を送信する情報送受信工程と、前記購入要求情報および前記利用者識別情報を受信し、管理情報送受信工に対して前記購入要求情報および前記利用者識別情報を送信するサイト送受信工程と、前記管理情報送受信工程を介して受信した前記購入要求情報および前記利用者識別情報に基づいて、前記デジタルコンテンツ情報の配信履歴を検索する検索工程と、前記検索工程による検索結果に基づいて、前記利用者識別情報に対応する特典情報を演算する演算工程と、前記演算工程における演算に基づいて、前記特典情報を前記サイト送受信工程に対して送信する特典情報送信工程と、を備え、前記サイト送受信工程は、前記特典情報送信工程において前記特典情報を受信した場合には、前記特典情報から前記関連情報に関する購入情報を演算し、前記購入情報を前記関連情報の前記購入要求情報を送信した前記情報送受信工程に対して送信することを特徴とする。
【００３２】
この構成によれば、長時間デジタルコンテンツを部分売りする等（アルバムの構成曲を一曲づつ売る場合、ドラマに関連した楽曲（主題歌等）をパック売りする場合、アルバム・ドラマに関連した静止画・動画等（俳優、歌手等）と楽曲のパック売り等）の場合に、パック売り用の（パック購入権利）選曲番号を別途設定すると、その番号でパックに含まれるデジタルコンテンツの全てを一定期間いつでも別々に購入することが可能になる。
【００３３】
また、先行配信などによってパック商品としてデジタルコンテンツが揃う前に購入したい場合には、先行配信によってダウンロードした履歴を記憶しておき、その後パックで購入できる権利を購入する場合には、パックの全デジタルコンテンツを新たに購入した場合と比較して、パックの購入金額が割引（ディスカウント：特典情報）されるという効果がユーザにある。
【００３４】
さらに、パック商品としてデジタルコンテンツを一括購入した方が個別にデジタルコンテンツを購入するよりも割引価格で購入できるようにしてあれば、先行配信をダウンロードした場合には更に割引率が上がる（特典情報）ので、先行配信でユーザが一番欲しているデジタルコンテンツをダウンロードしても、その他周辺のデジタルコンテンツをダウンロードする動機付けにもなり、関連する全てのデジタルコンテンツの購入がしやすくなるという効果がある。
【００３５】
上記課題を解決するために、請求項１１に記載の発明は、デジタルコンテンツ情報を配信する、デジタルコンテンツ情報配信システムのプログラムにおいて、複数の前記デジタルコンテンツ情報が関連付けられた関連情報を送信する関連情報送信手段、前記関連情報の受信、並びに前記関連情報の購入要求情報および利用者識別情報を送信する情報送受信手段、前記購入要求情報および前記利用者識別情報を受信し、管理情報送受信手段へ前記購入要求情報および前記利用者識別情報を送信するサイト送受信手段、前記管理情報送受信手段を介して受信した前記購入要求情報および前記利用者識別情報に基づいて、前記デジタルコンテンツ情報の配信履歴を検索する検索手段、前記検索手段による検索結果に基づいて、前記利用者識別情報に対応する特典情報を演算する演算手段、前記演算手段による演算に基づいて、前記特典情報を前記サイト送受信手段へ送信する特典情報送信手段として機能させ、前記サイト送受信手段は、前記特典情報送信手段から前記特典情報を受信した場合には、前記特典情報から前記関連情報に関する購入情報を演算し、前記購入情報を前記関連情報の前記購入要求情報を送信した前記情報送受信手段へ送信するように機能させることを特徴とする。
【００３６】
上記課題を解決するために、請求項１２に記載の発明は、請求項１１に記載のデジタルコンテンツ情報配信システムの制御プログラムがコンピュータに読み取り可能に記録されていることを特徴とする。
【発明の効果】
【００３７】
本発明によれば、長時間デジタルコンテンツを部分売りする等（アルバムの構成曲を一曲づつ売る場合、ドラマに関連した楽曲（主題歌等）をパック売りする場合、アルバム・ドラマに関連した静止画・動画等（俳優、歌手等）と楽曲のパック売り等）の場合に、パック売り用の（パック購入権利）選曲番号を別途設定すると、その番号でパックに含まれるデジタルコンテンツの全てを一定期間いつでも別々に購入することが可能になる。
【００３８】
また、先行配信などによってパック商品としてデジタルコンテンツが揃う前に購入したい場合には、先行配信によってダウンロードした履歴を記憶しておき、その後パックで購入できる権利を購入する場合には、パックの全デジタルコンテンツを新たに購入した場合と比較して、パックの購入金額が割引（ディスカウント：特典情報）されるという効果がユーザにある。
【００３９】
また、パック商品としてデジタルコンテンツを一括購入した方が個別にデジタルコンテンツを購入するよりも割引価格で購入できるようにしてあれば、先行配信をダウンロードした場合には更に割引率が上がる（特典情報）ので、先行配信でユーザが一番欲しているデジタルコンテンツをダウンロードしても、その他周辺のデジタルコンテンツをダウンロードする動機付けにもなり、関連する全てのデジタルコンテンツの購入がしやすくなるという効果がある。
【００４０】
また、ユーザがパック商品を購入する場合には、ユーザを示す識別情報とパック商品に含まれるデジタルコンテンツの識別情報とが関連付けられて（紐付けられて）記憶されるので、パック商品の一部が既に購入されているか否か、パック商品の購入が完了したか否かを容易に確認することが可能となる。
【００４１】
また、ユーザがデジタルコンテンツのダウンロードを希望した場合には、まず、デジタルコンテンツのダウンロードを受け付けるサイト（ユーザが会員登録をしたサイト）にユーザがアクセスし、サイトはユーザの識別情報とデジタルコンテンツの識別情報とが関連付けられてパックデータベース管理サーバへ送信する。  
【００４２】
従って、ユーザはユーザが使用している携帯電話機に対してパック商品購入情報の有無を毎回入力する必要が無く、煩雑な作業を省くことが可能になる。
【００４３】
また、パック（データベース）管理サーバは、ユーザの識別情報（利用者識別情報）に基づいて、ユーザがダウンロードを希望しているデジタルコンテンツがパック商品に含まれるか否か容易に判断することが可能となる。
【００４４】
また、パックデータベース管理サーバはパック購入されたパック購入権利選曲番号（パックに含まれるデジタルコンテンツの識別情報と関連付けられている）とパック購入したユーザの識別情報を予め登録しているので、デジタルコンテンツのダウンロードを試みているユーザの識別情報とダウンロードが試みられているデジタルコンテンツの識別情報に基づいて、パック購入されているデジタルコンテンツがダウンロードされようとしているか否かを容易に判断することが可能になる。
【００４５】
また、パックデータベース管理サーバは既にパック購入されたデジタルコンテンツのダウンロードを試みているユーザに対して、ダウンロードが試みられているデジタルコンテンツに関しては課金の必要がない旨の情報をサイトに対して送信するので、サイトは容易に、ユーザに対して課金せずに、ダウンロードが希望されているデジタルコンテンツを供給することができる。
【００４６】
また、パックデータベース管理サーバはパック購入されていないデジタルコンテンツのダウンロードを試みているユーザに対して、ダウンロードが試みられているデジタルコンテンツに関しては課金の必要がある旨の情報をサイトに対して送信するので、サイトは容易に、ユーザに対して課金する必要があることを認識して、ダウンロードが希望されているデジタルコンテンツを供給することができる。
【００４７】
また、ユーザがパック購入する前に、パック商品に含まれるデジタルコンテンツを先行配信等により既に購入している場合には、パック商品の購入価格を割引することにより、ユーザに先行配信されているデジタルコンテンツの購入意欲をかき立てることが可能になる。
【００４８】
また、デジタルコンテンツを供給するユーザが登録しているサイトは一つに限られず、複数の登録サイト（ユーザが正式に登録会員として認められたサイト）からデジタルコンテンツの供給を受けることが可能になる。
【００４９】
また、複数のサイトへ登録しているユーザがパック商品を購入した場合に、パック商品に含まれるデジタルコンテンツを複数のサイトから購入することが可能となるので、ユーザにとって非常に利便性の高いデジタルコンテンツの配信システムを構築することが可能になる。
【発明を実施するための最良の形態】
【００５０】
以下、本発明の最良の実施形態を図面に基づいて説明する。なお、以下に説明する実施の形態は、情報送受信手段として携帯電話機を使用した場合に対して本発明を適用した場合の実施形態である。また、サイト送受信手段としてコンテンツプロバイダサーバ装置を使用した場合に対して本発明を適用した場合の実施形態である。しかし、本発明の情報送受信手段およびサイト送受信手段は、有線または無線による電子通信回線を通じて情報をダウンロードできる全ての電子情報機器に対して適用することが可能である。
［１．システム構成の一例］
図１は、本発明のシステム構成の構成例（一実施形態）を示すブロック図である。図１のブロック図では、情報送受信手段として携帯電話装置１（携帯電話機を含む）を使用した場合を示す。
【００５１】
システムは、携帯電話機１（情報送受信手段を含む）、携帯電話機１を相互に接続するためのパケット通信網２、パケット通信網２における携帯電話機１と、外部の第三者のサーバ装置との接続を制御するためのサーバ装置３、サーバ装置３と外部の第三者のサーバ装置（サイト）との接続をするためのインターネット５、インターネット５に接続されサーバ装置３を介して携帯電話機１と接続するコンテンツプロバイダサーバ装置４（サイトＡ：サイト送受信手段を含む）、インターネット５に接続されサーバ装置３を介して携帯電話機１と接続するコンテンツプロバイダサーバ装置７（サイトＢ：サイト送受信手段を含む）、およびパックＤＢ（Data Base）管理サーバ装置（検索手段、演算手段、特典情報送信手段、管理情報送受信手段）とを含む構成となっている。
【００５２】
携帯電話機１は、ユーザが所望のデジタルコンテンツを入手しようとする場合に、携帯電話機１の入力部を介して、コンテンツプロバイダサーバ装置４（サイトＡ）、または、コンテンツプロバイダサーバ装置７（サイトＢ）と接続する。携帯電話機１が、コンテンツプロバイダサーバ装置４（サイトＡ）、またはコンテンツプロバイダサーバ装置７（サイトＢ）と接続するためには、利用者識別情報であるＵＩＤ（User Identification）と、ＵＩＤに対応したパスワード（送受信許可情報）を、コンテンツプロバイダサーバ装置４（サイトＡ）、またはコンテンツプロバイダサーバ装置７（サイトＢ）に送信する必要がある。
【００５３】
この場合、利用者識別情報であるＵＩＤは、サイトＡおよびサイトＢにおいて不変のコード情報であるが、パスワードはサイト毎に異なっても構わない。
【００５４】
また、ユーザが携帯電話機１を使用してデジタルコンテンツを部分毎にまたはパック売り単位で一括して取得するためには、ＩＰ（Information Provider）の保有するＨＴＴＰ（Hypertext Transfer Protocol）サーバであるコンテンツプロバイダサーバ装置４（サイトＡ）、またはコンテンツプロバイダサーバ装置７（サイトＢ）に、インターネット５からＨＴＴＰのＧＥＴ要求（購入要求情報、および購入指示情報）を送信する。
【００５５】
ここで、ＧＥＴ要求のうちの購入要求情報は、実際にデジタルコンテンツを購入するための情報ではなく、パックＤＢ管理サーバ装置７へ、パック売りされるデジタルコンテンツに関する料金情報を取得するために送信される命令情報である。
【００５６】
また、ＧＥＴ要求のうちの購入指示情報は、実際にデジタルコンテンツを購入するための情報であって、購入対象となったデジタルコンテンツは、コンテンツプロバイダサーバ装置４（サイトＡ）、コンテンツプロバイダサーバ装置６（サイトＢ）または、他のインターネット接続コンテンツプロバイダサーバ装置（図示せず）からダウンロードする。詳細は後述する。
【００５７】
コンテンツプロバイダサーバ装置４（サイトＡ）、およびコンテンツプロバイダサーバ装置６（サイトＢ）は、ネットワーク５およびサーバ装置３を介して携帯電話機１へデジタルコンテンツ（楽曲情報、静止画情報、および動画情報等）を供給するためのサーバ装置である。
【００５８】
本実施形態においては、説明の便宜上、サイトＡおよびサイトＢをそれぞれ別々のコンテンツプロバイダサーバ装置としたが、サイトＡおよびサイトＢは同じコンテンツプロバイダサーバ装置上に存在していてもよい。また、サイトＡおよびサイトＢの管理者は、同一管理者であっても、異なる管理者が管理しているサイトであってもよい。
【００５９】
さらに、サイトＡが携帯電話機１のユーザに提供するデジタルコンテンツと、サイトＢが携帯電話機１のユーザに提供するデジタルコンテンツとは同一デジタルコンテンツの供給源であってもよい。この場合のデジタルコンテンツ供給源は、コンテンツプロバイダサーバ装置４（サイトＡ）、コンテンツプロバイダサーバ装置６（サイトＢ）または、他のインターネット接続コンテンツプロバイダサーバ装置（図示せず）に存在するように構成される。
【００６０】
ユーザは、以上のように構成されたデジタルコンテンツを、有料（または無料）にて、携帯電話機１の入力部を操作することにより、パケット通信網２、サーバ装置３、インターネット５を介して、コンテンツプロバイダサーバ装置４（サイトＡ）、コンテンツプロバイダサーバ装置６（サイトＢ）または、他のインターネット接続コンテンツプロバイダサーバ装置（図示せず）からダウンロードする。また、デジタルコンテンツに係る情報、および動作の詳細は後述する。    
【００６１】
パックＤＢ管理サーバ装置７は、デジタルコンテンツが関連付けされた関連情報（パック売りされるデジタルコンテンツを一区分として認識する情報）を記憶する。
【００６２】
また、パックＤＢ管理サーバ装置７は、携帯電話機１から送信されたパック購入要求情報が、コンテンツプロバイダサーバ装置４（サイトＡ）、またはコンテンツプロバイダサーバ装置６（サイトＢ）を介して受信された場合には、パック購入要求情報に対応するパック売りされるデジタルコンテンツの割引料金情報を、パック購入要求情報を介したコンテンツプロバイダサーバ装置４（サイトＡ）、またはコンテンツプロバイダサーバ装置６（サイトＢ）に送信する。
【００６３】
さらに、パックＤＢ管理サーバ装置７は、パック売りされるデジタルコンテンツが関連付けされた関連情報を識別するための関連情報識別情報と、利用者識別情報とを関連付けて記憶する。
【００６４】
また、パックＤＢ管理サーバ装置７は、コンテンツプロバイダ装置４または６が携帯電話機１のユーザの要求に応じてデジタルコンテンツを携帯電話機１に送信する（携帯電話機１に送信されるデジタルコンテンツ情報は、コンテンツプロバイダ装置４、６または他のサーバ装置に記憶されていてもよい。）度に、コンテンツプロバイダ装置４および６がパックＤＢ管理サーバ装置７に送信する、送信されたデジタルコンテンツを特定するデジタルコンテンツ識別情報、ユーザを特定する利用者識別情報であるＵＩＤを受信する。そして、パックＤＢ管理サーバ装置７は、デジタルコンテンツ識別情報と、ユーザを特定する利用者識別情報とを関連付けて記憶する。
【００６５】
この場合、パックＤＢ管理サーバ装置７は、デジタルコンテンツ識別情報に対応するデジタルコンテンツ毎の料金に該当するデジタルコンテンツ課金情報をコンテンツプロバイダ装置４または６（サイト送受信手段）に送信するが、すでに受信したデジタルコンテンツ識別情報に対応するデジタルコンテンツがパック売りされている場合には、課金されない旨の内容を含む権利情報（特典情報に含まれる情報）をコンテンツプロバイダ装置４または６に送信する。
【００６６】
本実施形態においては、パックＤＢ管理サーバ装置７を、コンテンツプロバイダサーバ装置４（サイトＡ）、およびコンテンツプロバイダサーバ装置６（サイトＢ）とは異なるサーバ装置として説明したが、パックＤＢ管理サーバ装置７が有する機能を、コンテンツプロバイダサーバ装置４（サイトＡ）、またはコンテンツプロバイダサーバ装置６（サイトＢ）に存在させてもよい。
［２．情報送受信手段の一例］
図２は、情報送受信手段としての携帯電話機１の内部構成を示すブロック図である。
【００６７】
本実施形態において、ユーザは、かかる携帯用電話機１の機能を利用することにより、サーバ装置に設けられたサイトから楽曲ファイル等のファイルをダウンロードし、当該ダウンロードされた楽曲ファイルに含まれる楽曲データを用いて着信メロディを変更することができるようになっている。そして、携帯電話機１は、このようにして、着信メロディが設定されると、通話着信時、或いは、電子メール着信時、その他報知音拡声時に当該着信メロディを拡声して、ユーザに着信等の事象発生を報知するようになる。
【００６８】
かかる機能を有する携帯電話機１の具体的な構成について、図２を参照しつつ説明する。
【００６９】
まず、図２において通信部２１は、制御部２６による制御の下、パケット通信網２の基地局ＢＳ（図示せず）と無線通信を行う。操作部２２は、ＰＢ（プッシュボタン）等の各種ボタン及びカーソルキーからなり、ユーザによって入力操作が行われると、当該入力操作に対応した操作信号を制御部２６に供給する。表示部２３は、例えば、液晶パネルや有機ＥＬ（electroluminescence）パネル等の表示装置から構成されており、制御部２６の制御の下に、各種情報を表示する。音声入力部２４は、例えば、マイクロホンやＤ／Ａ変換器を有し、ユーザの発話音声等の各種音声が入力されると、当該音声に対応した音声データを生成して通信部２１に出力する。拡声部２５は、スピーカを有しており、通信部２１から供給される音声データに対応する音声を当該スピーカを用いて拡声する。また、この拡声部２５は、制御部２６から楽曲データが供給された場合、当該楽曲データに対応する楽曲を拡声するようになっている。制御部２６は、例えば、ＣＰＵ、ＲＯＭ、ＲＡＭ等を有しており、携帯電話機１の各部を制御する。ＲＯＭには、各種制御情報と共に、制御プログラムやＯＳ（オペレーティングシステム）、ＷＷＷ（World Wide Web）ブラウザといった各種のアプリケーションプログラムが記録されている。また、このＲＯＭには、各種の形式（例えば、Ｊａｖａ（登録商標））にて作成されたのプログラムをＯＳにより提供される環境下において実行するためのプログラム（例えば、Ｊ２ＭＥＣＬＤＣ（Connected Limited Device Configuration）準拠の実行環境等）が記録されている。ＣＰＵはＲＯＭに格納されている各種プログラムを実行することにより携帯電話機１の各部を制御し、ＲＡＭはワークエリアとして用いられる。
【００７０】
次いで、記録部２７は、例えば、ＥＥＰＲＯＭ（Electrically Erasable Programmable ROM）等の不揮発性のメモリにより構成され、制御部２６による制御の下、各種データ（ユーザ識別情報(ＵＩＤ（User Identifier）等が含まれる)が記憶される。
【００７１】
次に、図２（Ｂ）を用いて、パックＤＢ管理サーバ装置７に記憶されているパック商品単位のデータベース構造の概要について説明する。
【００７２】
図２（Ｂ）においては、３つのパック商品のデータベース構造が示されている。
【００７３】
図２（Ｂ）の最上段には、パック商品の一例として、楽曲を５つ含むパック購入権利選曲番号“ααααααα”で示されるパック１のデータ構造が図示されている。
【００７４】
パック１には、コンテンツとしての楽曲を識別するためのデジタルコンテンツ識別情報が５つ関連付けられている。
【００７５】
具体的には、図２（Ｂ）のパック商品の最上段における右欄にデジタルコンテンツ識別情報が３桁を使用して５つ（“ＡＡＡ”、“ＡＢＢ”、“ＡＣＣ”、“ＡＤＤ”および“ＡＥＥ”）記載されている。
【００７６】
コンテンツプロバイダサーバ装置４（サイトＡ）、コンテンツプロバイダサーバ装置６（サイトＢ）等のノード装置から、パックＤＢ管理サーバ装置７に送信されたデジタルコンテンツ識別情報が“ＡＡＡ”、“ＡＢＢ”、“ＡＣＣ”、“ＡＤＤ”または“ＡＥＥ”の何れかである場合には、パックＤＢ管理サーバ装置７は送信されたデジタルコンテンツ識別情報に対応する楽曲がパック商品の一つであることを認識する。
【００７７】
また、図２（Ｂ）の中段には、パック商品の一例として、楽曲を２つ含むパック購入権利選曲番号“ββββββββ”で示されるパック２のデータ構造が図示されている。パック２には、コンテンツとしての楽曲を識別するためのデジタルコンテンツ識別情報が２つ（“ＢＡＡ”および“ＢＢＢ”）関連付けられている。
【００７８】
さらに、図２（Ｂ）の下段には、パック商品の一例として、楽曲を２つ含むパック購入権利選曲番号“xxxxxxxxxxxxxxxxx”で示されるパック３のデータ構造が図示されている。パック３には、コンテンツとしての楽曲を識別するためのデジタルコンテンツ識別情報が２つ（“ＣＡＡ”および“ＣＢＢ”）関連付けられている。
【００７９】
また、パックＤＢ管理サーバ装置７においては、パック購入されたパック購入権利選曲番号は、パック購入をしたＵＩＤ（利用者識別情報）と関連付けられて記憶されている。
［３．処理動作を示すフローチャート］
次に、図３を用いて、携帯電話機１、コンテンツプロバイダサーバ装置４（サイトＡ）、コンテンツプロバイダサーバ装置６（サイトＢ）、およびパックＤＢ管理サーバ装置７との間で行なわれる情報の送受信の動作概要を説明する。
【００８０】
まず、図３を用いて実施形態についての処理動作をステップ毎に説明する。
【００８１】
ステップＳ１において、ユーザは、会員制となっているコンテンツ提供者のコンテンツプロバイダサーバ装置（４）のサイトAに携帯電話機１からアクセスする。サイトはＵＲＬによって特定されるので、携帯電話機１の通信部２１からＵＲＬが送信される。
【００８２】
ステップＳ２において、ＵＲＬを受信したコンテンツ提供者のコンテンツプロバイダサーバ装置（４）は、ユーザのユーザID（利用者識別情報）とパスワード（送受信許可情報）とを送信するように携帯電話機１へ要求する。
【００８３】
コンテンツプロバイダサーバ装置（４）は、入力されたユーザID（利用者識別情報）とパスワードとがサイトAに登録された情報である場合には、ユーザが使用している携帯電話機１に、サイトＡにおいてユーザに提供することができるデジタルコンテンツ情報を示すタイトル名等（コンテンツ情報の内容を示す情報）を送信する。
【００８４】
ステップＳ３において、携帯電話機１を使用しているユーザは、携帯電話機１にダウンロードしたいデジタルコンテンツ情報のタイトル名等をコンテンツプロバイダサーバ装置４（サイトＡ）に送信し、所望のデジタルコンテンツ情報を受信する。
【００８５】
ステップＳ４において、コンテンツプロバイダサーバ装置４（サイトＡ）は、携帯電話機１へ送信したデジタルコンテンツ情報（例えば楽曲である場合には楽曲ＩＤ（Identification））とデジタルコンテンツ情報を送信した相手であるユーザのユーザIDをパックＤＢ管理サーバ装置７へ送信する。
【００８６】
ステップＳ５において、パックＤＢ管理サーバ装置７は、受信したデジタルコンテンツ情報に係る識別情報（例えば楽曲ＩＤ）とユーザＩＤとを関連付けて記憶する。
【００８７】
ステップＳ６において、ユーザは、会員制となっているコンテンツ提供者のコンテンツプロバイダサーバ装置（６）のサイトＢに携帯電話機１からアクセスする。サイトはＵＲＬによって特定されるので、携帯電話機１の通信部２１からＵＲＬが送信される。
【００８８】
ステップＳ７において、ＵＲＬを受信したコンテンツ提供者のコンテンツプロバイダサーバ装置（６）は、ユーザのユーザID（利用者識別情報）とパスワードとを送信するように携帯電話機１へ要求する。
【００８９】
コンテンツプロバイダサーバ装置（６）は、入力されたユーザID（利用者識別情報）とパスワードとがサイトＢに登録された情報である場合には、ユーザが使用している携帯電話機１に、サイトＢにおいてユーザに提供することができるデジタルコンテンツ情報を示すタイトル名等（コンテンツ情報の内容を示す情報）を送信する。
【００９０】
ステップＳ８において、携帯電話機１を使用しているユーザは、携帯電話機１にダウンロードしたいデジタルコンテンツ情報のタイトル名等をコンテンツプロバイダサーバ装置６（サイトＢ）に送信し、所望のデジタルコンテンツ情報を受信する。
【００９１】
ステップＳ９において、コンテンツプロバイダサーバ装置６（サイトＢ）は、携帯電話機１へ送信したデジタルコンテンツ情報（例えば楽曲である場合には楽曲ＩＤ（Identification））とデジタルコンテンツ情報を送信した相手であるユーザのユーザIDをパックＤＢ管理サーバ装置７へ送信する。
【００９２】
ステップＳ１０において、パックＤＢ管理サーバ装置７は、受信したデジタルコンテンツ情報に係る識別情報（例えば楽曲ＩＤ）とユーザＩＤとを関連付けて記憶する。
【００９３】
ステップＳ１１において、携帯電話機１を使用するユーザはパック購入要求情報（少なくとも２つ以上のデジタルコンテンツ情報を一括購入する情報：パック購入されるデジタルコンテンツ情報は一時に（一括して）ダウンロードする必要はない）をコンテンツプロバイダサーバ装置４（サイトＡ）に送信する。なお、本実施形態においては説明の都合上、パック購入要求情報はコンテンツプロバイダサーバ装置４（サイトＡ）へ送信することとしたが、パック購入要求情報はコンテンツプロバイダサーバ装置６（サイトＢ）等の他のサイトへも送信することができる。
【００９４】
ステップ１２において、ＵＲＬを受信したコンテンツ提供者のコンテンツプロバイダサーバ装置（４）は、ユーザのユーザID（利用者識別情報）とパスワードとを送信するように携帯電話機１へ要求する。
【００９５】
コンテンツプロバイダサーバ装置（４）は、入力されたユーザID（利用者識別情報）とパスワードとがサイトAに登録された情報である場合には、パック購入要求を受け入れる。
【００９６】
ステップＳ１３において、パック購入要求情報を受信したコンテンツプロバイダサーバ装置４（サイトＡ）は、パックＤＢ管理サーバ装置７へユーザＩＤ（携帯電話機１を操作しているユーザを特定する情報である）とともにパック購入要求情報を送信する。
【００９７】
ステップ１４において、ユーザＩＤとパック購入要求情報を受信したパックＤＢ管理サーバ装置７は、ユーザＩＤに関連付けされて記憶されている楽曲ＩＤを検索する。ユーザＩＤに関連付けされている楽曲ＩＤを検索できた場合には、その楽曲ＩＤに対応するデジタルコンテンツである楽曲情報が携帯電話機１に既にダウンロードされていることになる（配信履歴）。
【００９８】
パックＤＢ管理サーバ装置７は配信履歴に基づいて、パック購入時のパック購入金額や割引率を演算する。
【００９９】
例えば、パックに楽曲が５曲含まれている場合に、５曲を個別に購入した場合には、６０円（１２円（１コンテンツ（１楽曲）×５コンテンツ＝６０円）であるが、パック購入した場合には（５０円（１０円（１コンテンツ（１楽曲）×５コンテンツ＝５０円）となる場合がある。ここで、パックＤＢ管理サーバ装置７の配信履歴に、ユーザが購入しようとしているパックに含まれる楽曲が一曲有った場合には、５０円―（５０（円）／（５（曲）−１（曲）））＝３７．５円がパック購入代金となるように、パック購入に対して有利な割引率を適用する。
【０１００】
また、パックＤＢ管理サーバ装置７の配信履歴に、ユーザが購入しようとしているパックに含まれる楽曲が二曲有った場合には、５０円―（５０（円）／（５（曲）−２（曲）））＝３３円がパック購入代金となるように、パック購入に対して有利な割引率を適用する。
【０１０１】
このようにパック購入代金の割引率を高めるのは、特定の楽曲を先行配信する場合に、ユーザに積極的にこの特定の楽曲をダウンロードしてもらうインセンティブを与えるためである。先行配信された楽曲があとからパック販売されれば、ユーザは、先行配信された楽曲と関係の深いデジタルコンテンツ（先行配信曲が後に販売されるアルバムに含まれる楽曲である場合は、パック販売されるアルバムの他楽曲を割安で購入できるという特典がある。）を個別に一つ一つの楽曲を購入するよりも割安で購入することができる。
【０１０２】
また、先行配信された楽曲と関係の深いデジタルコンテンツとしては、同一アーティストの他の楽曲である場合、先行配信された楽曲が映画、テレビ番組、ラジオ番組、劇場等のマスメディアで使用されている楽曲の場合には、同じ映画、テレビ番組、ラジオ番組等で使用されている他の楽曲、または俳優の静止画像、動画像等のデジタルコンテンツをパック販売することもある。これらのデジタルコンテンツは、異なるサイトで販売される場合もパック販売の割引の対象となる。
【０１０３】
また、更に、パック購入に対して割引を適用させてお買い得感を発生させない場合であっても、パックに含まれる楽曲等のデジタルコンテンツをユーザが購入していた場合には、パック代金からすでにダウンロードしているデジタルコンテンツの代金を差し引いた額をパック購入金額として携帯電話機１を使用しているユーザに知らせる必要がある。
【０１０４】
例えば、パックに楽曲が５曲含まれている場合に、５曲を個別に購入した場合には、６０円（１２円（１コンテンツ（１楽曲）×５コンテンツ＝６０円）であるが、パック購入した場合には（５０円（１０円（１コンテンツ（１楽曲）×５コンテンツ＝５０円）となる場合がある。ここで、パックＤＢ管理サーバ装置７の配信履歴に、ユーザが購入しようとしているパックに含まれる楽曲が一曲有った場合には、５０円―（（５０（円）／（５）：パック購入した場合の１楽曲当たりの単価））＝４０円がパック購入代金となるように、パック購入者に対して個別に購入した場合よりも有利なパック料金の割安感を適用するようにする。
【０１０５】
このようにすれば、最初からパック購入するユーザに対しても後からパック購入するユーザに対しても同じ金額でパック商品を購入することができるので、パック料金が一番安いことになる（パック商品があったことを知らないで（この例では、ユーザがパック商品に含まれる楽曲を購入しよとする時には、その楽曲を含むパック商品がすでに存在しているが、ユーザがパック商品の存在に気が付いていない場合を想定している。）、先にデジタルコンテンツの一例としての楽曲を単体で購入してしまったユーザへの救済措置となる。
【０１０６】
ステップＳ１５において、パックＤＢ管理サーバ装置７は配信履歴に基づいて、ステップＳ１４において演算したパック購入金額や割引率（特典情報に含まれる情報）をコンテンツプロバイダサーバ装置４（サイトＡ）へ送信して通知する。
【０１０７】
ステップＳ１６において、コンテンツプロバイダサーバ装置４（サイトＡ）は、パックＤＢ管理サーバ装置７から送信されたパック購入金額や割引率に基づいて、携帯電話機１へパック購入時のパック購入金額を送信する。
【０１０８】
ステップＳ１７において、ステップＳ１６において送信されたパック購入金額に同意して、ユーザがパック商品を購入することを決定した場合には、コンテンツプロバイダサーバ装置４（サイトＡ）に対して、パック購入指示情報を送信する。
【０１０９】
ステップＳ１８において、コンテンツプロバイダサーバ装置４（サイトＡ）は、パック購入指示をパックＤＢ管理サーバ装置７に送信する。
【０１１０】
ステップＳ１９において、パックＤＢ管理サーバ装置７は、携帯電話機１からパック購入指示情報を発したユーザＩＤとパックＩＤ（関連情報識別情報）とを関連付けて記憶する。パックＩＤには、パック購入されるデジタルコンテンツを識別するデジタルコンテンツ識別情報が含まれる。
【０１１１】
ステップＳ２０において、パックＤＢ管理サーバ装置７は、携帯電話機１に対して、パック商品のパック購入完了通知を送信する。
【０１１２】
ステップＳ２１において、ユーザは、会員制となっているコンテンツ提供者のコンテンツプロバイダサーバ装置（６）のサイトＢに携帯電話機１からアクセスする。サイトはＵＲＬによって特定されるので、携帯電話機１の通信部２１からＵＲＬが送信される。
【０１１３】
ステップＳ２２において、ＵＲＬを受信したコンテンツ提供者のコンテンツプロバイダサーバ装置（６）は、ユーザのユーザID（利用者識別情報）とパスワードとを送信するように携帯電話機１へ要求する。
【０１１４】
ステップＳ２３において、コンテンツプロバイダサーバ装置（６）は、入力されたユーザID（利用者識別情報）とパスワードとがサイトＢに登録された情報である場合には、ユーザが使用している携帯電話機１から送信要求されたデジタルコンテンツに対応するデジタルコンテンツＩＤ（例えば、楽曲ＩＤ）に、ユーザＩＤを関連付けて、ダウンロード要求情報として楽曲ＩＤと楽曲ＩＤに関連付けされたユーザＩＤをパックＤＢ管理サーバ装置７に送信する。
【０１１５】
ステップＳ２４において、パックＤＢ管理サーバ装置７は、ステップＳ２３においてダウンロード要求された楽曲ＩＤ（要求楽曲ＩＤ）が、パックＤＢ管理サーバ装置７に記憶されたパックＩＤに含まれる楽曲であるか否かを判断する。ダウンロード要求された楽曲ＩＤ（要求楽曲ＩＤ）が、パックＤＢ管理サーバ装置７に記憶されたパックＩＤに含まれる楽曲である場合（ステップＳ２４：ＹＥＳ）にはステップＳ２５に進み、ダウンロード要求された楽曲ＩＤ（要求楽曲ＩＤ）が、パックＤＢ管理サーバ装置７に記憶されたパックＩＤに含まれない楽曲である場合（ステップＳ２４：ＮＯ）には、ステップＳ２８に進む。
【０１１６】
ステップＳ２５において、パックＤＢ管理サーバ装置７は、ステップＳ２３において受信されたダウンロード要求情報としての楽曲ＩＤに関連付けされたユーザＩＤが、パックＤＢ管理サーバ装置７にパックＩＤ（関連情報識別情報）と関連付けて記憶されているユーザＩＤと一致するか否かを判断する。ダウンロード要求情報としての楽曲ＩＤに関連付けされたユーザＩＤが、パックＤＢ管理サーバ装置７にパックＩＤ（関連情報識別情報）と関連付けて記憶されているユーザＩＤと一致する場合（ステップＳ２５：ＹＥＳ）にはステップＳ２６に進む。ダウンロード要求情報としての楽曲ＩＤに関連付けされたユーザＩＤが、パックＤＢ管理サーバ装置７にパックＩＤ（関連情報識別情報）と関連付けて記憶されているユーザＩＤと一致する場合（ステップＳ２５：ＮＯ）にはステップＳ２８に進む。
【０１１７】
ステップＳ２６において、パックＤＢ管理サーバ装置７は、ステップＳ２３においてダウンロード要求情報として楽曲ＩＤと楽曲ＩＤに関連付けされたユーザＩＤをパックＤＢ管理サーバ装置７に送信してきたコンテンツプロバイダサーバ装置６（サイトＢ）に対して、ダウンロード要求してきた楽曲ＩＤに対応する楽曲は、パック購入されている旨を示す権利情報を送信する。
【０１１８】
ステップＳ２７において、コンテンツプロバイダサーバ装置６（サイトＢ）は、ステップＳ２６においてパックＤＢ管理サーバ装置７から受信した権利情報に基づき、携帯電話装置１に対して、課金処理を行わずにダウンロード要求された楽曲をダウンロード可能な状態とする。
【０１１９】
ステップＳ２８において、パックＤＢ管理サーバ装置７は、ステップＳ２３においてダウンロード要求情報として楽曲ＩＤと楽曲ＩＤに関連付けされたユーザＩＤをパックＤＢ管理サーバ装置７に送信してきたコンテンツプロバイダサーバ装置６（サイトＢ）に対して、ダウンロード要求してきた楽曲ＩＤに対応する楽曲は、パック購入されていない旨を示す情報を送信する。
【０１２０】
ステップＳ２９において、コンテンツプロバイダサーバ装置６（サイトＢ）は、ステップＳ２６においてパックＤＢ管理サーバ装置７から受信した情報に基づき、携帯電話装置１に対して課金処理を行い、課金処理が成功した場合にダウンロード要求された楽曲を携帯電話装置１に対してダウンロード可能な状態とする。
【０１２１】
上記実施形態においては携帯電話機１において着信メロディを設定する場合を例に説明を行ったが、着信音を拡声する機器であれば、どのような機器に対しても適用可能である。例えば、家庭用の固定電話機やファクシミリ（複写電送装置）、ＰＤＡ（Personal Digital Assistant）のような着信の発生する各種電子機器についても、本実施形態における携帯電話機１と同様の構成を採用することにより着信メロディをユーザの任意に設定することが可能である。
【０１２２】
また、上記実施形態においては、楽曲の再生時に、表示画面をインデックス画面から他の画面に遷移させる構成を採用してもよい。楽曲再生時の表示画面については任意であり、例えば、インデックス画面上に、再生画面を重畳表示するようにしても良いし、インデックス画面から画面を遷移させることなく、インデックス画面上において楽曲を再生するようにしても良い。
【０１２３】
また、上記実施形態においては、着信等の事象が発生した場合に楽曲を着信メロディとして拡声する構成を採用していたが、楽曲に限らず、音声であればどのようなものであっても良い。また、画像情報をパック購入に含まれるデジタルコンテンツ情報として受信し、携帯電話機１の待ち受け画面を設定するようにしても良い。
【０１２４】
また更に、上記実施形態においては、携帯電話機１単体にてネットワークを介したデータ通信を行う構成となっていたが、ＳＩＭ（Subscriber Identify Module）内に携帯電話機１のユーザの加入者情報を記録すると共に、当該ＳＩＭを携帯電話機１に接続して、当該ＳＩＭ内に記録された加入者情報を用いてネットワークを介したデータ通信を行うようにしても良い。
【０１２５】
なお、図３における動作手順を、ハードディスク等の記録媒体に予め記録しておき、或いはインターネット等のネットワークを介して予め記録しておき、これを汎用のマイクロコンピュータ等により読み出して実行することにより、当該汎用のマイクロコンピュータ等を実施形態に係わるＣＰＵとして機能させることも可能である。
【０１２６】
また各電子情報機器間の情報の送受信は有線、無線に限定されず、いずれの方法においても情報の送受信を行うことができる。
【図面の簡単な説明】
【０１２７】
【図１】本実施形態におけるシステム構成の一例を示す図である。
【図２】（Ａ）本実施形態における携帯電話装置のブロック図の一例である。（Ｂ）本実施形態におけるパック商品のデータベース構成の一例である。
【図３】本実施形態における動作を説明するフローチャートである。
【符号の説明】
【０１２８】
１ ・・・  携帯電話装置
２ ・・・  パケット通信網
３・・・  サーバ装置
４ ・・・  コンテンツプロバイダサーバ装置（サイトＡ）
５ ・・・  インターネット
６ ・・・  コンテンツプロバイダサーバ装置（サイトＢ）
７ ・・・  パックＤＢ管理サーバ装置
【図１】
2009064171.tif 000003
【図２】
2009064171.tif 000004
【図３】
2009064171.tif 000005